(57)【要約】【課題】組み立て工数を少なくするとともに耐久性にも優れ、かつ、ゲルマニウムの効果と磁石の効果とをより有効に得ることができるようにする。【解決手段】内部に永久磁石収納部２１１を有する永久磁石収納ケース２００と、永久磁石１０１とを有し、永久磁石収納部２１１に永久磁石１０１を収納した永久磁石収納ケース２００を皮膚に貼り付けて用いる家庭用永久磁石磁気治療器１０であって、永久磁石収納ケース２００はゲルマニウムを用いて形成され、永久磁石収納部２１１は開口面２１１ａと底面２１１ｂとを有する凹形状をなし、開口面２１１ａが永久磁石収納ケース２００の皮膚に接触する側の第１面２２０とは反対側の第２面２３０に位置し、底面２１１ｂが開口面２１１ａから第１面２２０の方向に向かって所定の深さに位置するように永久磁石収納ケース２００に形成され、永久磁石１０１は、開口面２１１ａから挿入されて、接着材により固定されている。【選択図】図２
2013022123.tif 000002
【特許請求の範囲】
【請求項１】
内部に永久磁石収納部を有する永久磁石収納ケースと、前記永久磁石収納部に収納される永久磁石とを有し、前記永久磁石収納部に前記永久磁石を収納した永久磁石収納ケースを貼り付け部材により使用者の皮膚に貼り付けて用いる家庭用永久磁石磁気治療器であって、
前記永久磁石収納ケースは、ゲルマニウムを用いて形成され、
前記永久磁石収納部は、開口面と底面とを有する凹形状をなし、前記開口面が前記永久磁石収納ケースの前記皮膚に接触する側の第１面とは反対側の第２面に位置し、前記底面が前記開口面から前記第１面の方向に向かって所定の深さに位置するように前記永久磁石収納ケースに形成され、
前記永久磁石は、前記開口面から前記永久磁石収納部に挿入されて、前記永久磁石収納部に接着剤によって固定されていることを特徴とする家庭用永久磁石磁気治療器。
【請求項２】
請求項１に記載の家庭用永久磁石磁気治療器において、
前記ゲルマニウムは、純ゲルマニウムであることを特徴とする家庭用永久磁石磁気治療器。
【請求項３】
請求項１又は２に記載の家庭用永久磁石磁気治療器において、
前記永久磁石収納ケースの前記第１面は、外方に突出する球面形状となっていることを特徴とする家庭用永久磁石磁気治療器。
【請求項４】
請求項１〜３のいずれかに記載の家庭用永久磁石磁気治療器において、
前記永久磁石の先端面が前記永久磁石収納部の底面に接触するまで前記永久磁石を前記永久磁石収納部に挿入したときに、当該永久磁石の後端面と前記永久磁石収納ケースの第２面との間に当該永久磁石の後端面が永久磁石収納部の内方に位置するような段差部が形成されるように、前記開口面から前記底面までの深さと前記永久磁石の前記先端端面から後端面までの長さとが設定されていることを特徴とする家庭用永久磁石磁気治療器。
【請求項５】
請求項４に記載の家庭用永久磁石磁気治療器において、
前記永久磁石を前記永久磁石収納部に接着剤によって固定した状態としたときに、前記段差部が前記接着剤で充填された状態となることを特徴とする家庭用永久磁石磁気治療器。
【請求項６】
請求項１〜５のいずれかに記載の家庭用永久磁石磁気治療器において、
前記永久磁石収納ケースは、複数の永久磁石収納部を有し、当該複数の永久磁石収納部にはそれぞれ永久磁石が収納されていることを特徴とする家庭用永久磁石磁気治療器。
【請求項７】
請求項１〜６のいずれかに記載の家庭用永久磁石磁気治療器において、
前記永久磁石は、ネオジウム−鉄−ホウ素系合金焼結磁石であることを特徴とする家庭用永久磁石磁気治療器。
【請求項８】
請求項１〜７のいずれかに記載の家庭用永久磁石磁気治療器において、
前記接着剤は、エポキシ系樹脂を用いた接着剤であることを特徴とする家庭用永久磁石磁気治療器。
【請求項９】
請求項１〜８のいずれかに記載の家庭用永久磁石磁気治療器において、
前記第２面の周縁部には、全周に渡って、曲面部が形成されていることを特徴とする家庭用永久磁石磁気治療器。
【発明の詳細な説明】
【技術分野】
【０００１】
本発明は、家庭用永久磁石磁気治療器に関する。
【背景技術】
【０００２】
ゲルマニウムと磁石とを組み合わせた家庭用永久磁石磁気治療器が従来から知られている（例えば、特許文献１参照。）。
【０００３】
図６は、従来の家庭用永久磁石磁気治療器９００を説明するために示す断面図である。従来の家庭用永久磁石磁気治療器９００は、図６に示すように、上側部材（上蓋）９１０と下側部材（下蓋）９２０との間に形成される中空部９３０に永久磁石９４０を収納して、上側部材９１０と下側部材９２０とをリング状のパッキン９５０により密閉状態に嵌合させた構成となっている。なお、上側部材９１０及び下側部材９２０のうちの少なくとも皮膚に接触させる側の部材（上側部材９１０とする。）は、チタン、ゲルマニウム、ゲルマニウム合金又はゲルマニウム合金メッキで形成されている。また、永久磁石９４０は中空部９３０内で動くことができるようになっている。
【０００４】
なお、従来の家庭用永久磁石磁気治療器９００の説明において、上側部材９１０と下側部材９２０とを区別しないで説明する場合には、これら上側部材９１０及び下側部材９２０をまとめて「永久磁石収納ケース」と呼ぶことにする。
【０００５】
従来の家庭用永久磁石磁気治療器９００によれば、永久磁石収納ケースがチタン、ゲルマニウム、ゲルマニウム合金又はゲルマニウム合金メッキなどによって形成されているため、永久磁石９４０から発生する磁気による効果に加えて上記金属が皮膚に直接接触することによる効果も期待できる。例えば、ゲルマニウムには新陳代謝の活性化の効果、血流促進の効果、温熱効果などがあるとされているため、永久磁石収納ケースをゲルマニウムで形成することにより、これらの効果が期待できる。
【０００６】
また、従来の家庭用永久磁石磁気治療器９００は、永久磁石９４０が中空部９３０内で動くことができるようになっているため、当該家庭用永久磁石磁気治療器９００を装着している人が体を動かすことに伴って永久磁石９４０が動き、それによって、磁気が皮膚のより広い範囲に与えられるために、磁気による効果が広範囲に渡って得られる。
【先行技術文献】
【特許文献】
【０００７】
【特許文献１】特開２００９−２８５３７２号公報
【発明の概要】
【発明が解決しようとする課題】
【０００８】
上記従来の家庭用永久磁石磁気治療器９００は、種々の優れた効果が得られる家庭用永久磁石磁気治療器であるが、上側部材９１０と下側部材９２０との間に形成される中空部９３０に永久磁石９４０を収納して、上側部材９１０と下側部材９２０とをリング状のパッキン９５０により密閉状態に嵌合させた構成となっているものであるため、家庭用永久磁石磁気治療器９００を構成する部品数が多く、家庭用永久磁石磁気治療器９００を製造する際の組み立て工程数も多いという課題がある。特に、これら各部品は細かい部品であるため、組み立ては容易ではない。また、上側部材９１０と下側部材９２０とを嵌合させる構造であるため、経年変化により、上側部材９１０と下側部材９２０との嵌合状態が維持できなくなるおそれもある。
【０００９】
また、従来の家庭用永久磁石磁気治療器９００は、永久磁石９４０が永久磁石収納ケースの中空部９３０内で動くことが可能となっているために、人が体を動かすたびに永久磁石９４０が永久磁石収納ケースに当たって、「カタ」、「カタ」というような衝突音が発生する可能性もあり、また、永久磁石９４０や永久磁石収納ケースが破損する可能性もある。
【００１０】
特に、永久磁石収納ケースがゲルマニウムで形成されている場合、ゲルマニウムは脆いために破損しやすい。その一方で、ゲルマニウムには、上記したような効果（新陳代謝の活性化の効果、血流促進の効果、温熱効果）などがあるとして、この種の健康促進用の治療器具だけではなく装飾具としても広く使用されている。特に、最近では、より高い効果を期待するために、より高純度のゲルマニウムを使用する傾向にある。
【００１１】
したがって、図６に示すような従来の家庭用永久磁石磁気治療器９００において、永久磁石収納ケースを高純度のゲルマニウムで形成することによって、より高い治療効果の期待が可能となると考えられるが、高純度のゲルマニウムで形成された永久磁石収納ケース内で永久磁石が動くことによって、当該永久磁石収納ケースが破損してしまうといったことも起こり得る。
【００１２】
そこで本発明は、組み立て工数を少なくすることができるとともに耐久性にも優れ、かつ、ゲルマニウムの効果と磁石の効果とをより有効に得ることができる家庭用永久磁石磁気治療器を提供することを目的とする。
【課題を解決するための手段】
【００１３】
［１］本発明の家庭用永久磁石磁気治療器は、内部に永久磁石収納部を有する永久磁石収納ケースと、前記永久磁石収納部に収納される永久磁石とを有し、前記永久磁石収納部に前記永久磁石を収納した永久磁石収納ケースを貼り付け部材により使用者の皮膚に貼り付けて用いる家庭用永久磁石磁気治療器であって、前記永久磁石収納ケースは、ゲルマニウムを用いて形成され、前記永久磁石収納部は、開口面と底面とを有する凹形状をなし、前記開口面が前記永久磁石収納ケースの前記皮膚に接触する側の第１面とは反対側の第２面に位置し、前記底面が前記開口面から前記第１面の方向に向かって所定の深さに位置するように前記永久磁石収納ケースに形成され、前記永久磁石は、前記開口面から前記永久磁石収納部に挿入されて、前記永久磁石収納部に接着剤によって固定されていることを特徴とする。
【００１４】
本発明の家庭用永久磁石磁気治療器においては、永久磁石を永久磁石収納ケースに接着剤によって固定するといった単純な工程によって家庭用永久磁石磁気治療器を製造することができるため、組み立て工数を少なくすることができ、また、永久磁石は接着剤によって永久磁石収納部に固定されているため、耐久性にも優れたものとなり、しかも、永久磁石の磁気による血流促進などの効果とゲルマニウムによる新陳代謝の活性化の効果、血流促進の効果、温熱効果などの効果が期待できる。
【００１５】
［２］本発明の家庭用永久磁石磁気治療器において、前記ゲルマニウムは、純ゲルマニウムであることが好ましい。
ゲルマニウムが純ゲルマニウム（９９．９９９％ゲルマニウム）であることにより、ゲルマニウムの効果をより大きくすることができる。
【００１６】
［３］本発明の家庭用永久磁石磁気治療器において、前記永久磁石収納ケースの前記第１面は、前記永久磁石収納ケースの外方に突出する球面形状となっていることが好ましい。
このような構成とすることによって、本発明の家庭用永久磁石磁気治療器を皮膚に貼り付けたときに、永久磁石収納ケースの球面形状の部分が皮膚を適度に刺激することとなり、ツボ効果が期待できる。
【００１７】
［４］本発明の家庭用永久磁石磁気治療器において、前記永久磁石の先端面が前記永久磁石収納部の底面に接触するまで前記永久磁石を前記永久磁石収納部に挿入したときに、当該永久磁石の後端面と前記永久磁石収納ケースの第２面との間に当該永久磁石の後端面が永久磁石収納部の内方に位置するような段差部が形成されるように、前記開口面から前記底面までの深さと前記永久磁石の前記先端端面から後端面までの長さとが設定されていることが好ましい。
【００１８】
このような構成とすることにより、永久磁石を永久磁石収納部に挿入した状態としたときに、永久磁石の後端部が永久磁石収納ケースの第２面から外部に突出することがなくなる。これにより、永久磁石を保護することができ、また、本発明の家庭用永久磁石磁気治療器をパッチなどの貼り付け部材で皮膚に貼り付けたときに、出っ張りを少なくすることができるため、家庭用永久磁石磁気治療器の存在を目立たなくすることができる。
【００１９】
［５］本発明の家庭用永久磁石磁気治療器において、前記永久磁石を前記永久磁石収納部に接着剤によって固定した状態としたときに、前記段差部が前記接着剤で充填された状態となることが好ましい。
【００２０】
このように、永久磁石収納ケースの第２面と永久磁石の後端面との間に形成されている段差部が接着剤で充填された状態となることにより、永久磁石を保護することができる。また、永久磁石収納ケース２００の第２面全体を同一平面とすることができ、それによって、本発明の家庭用永久磁石磁気治療器をパッチなどの貼り付け部材で皮膚に貼り付けたときにパッチの表面を平滑なものとすることができ、家庭用永久磁石磁気治療器の存在を目立たなくすることができる。
【００２１】
［６］本発明の家庭用永久磁石磁気治療器において、前記永久磁石収納ケースは、複数の永久磁石収納部を有し、当該複数の永久磁石収納部にはそれぞれ永久磁石が収納されていることもまた好ましい。
【００２２】
このような構成とすることにより、皮膚のより広い範囲に磁気を与えることができる。また、磁石を複数とすることによって永久磁石収納ケースの平面的な面積も大きくなるため、永久磁石収納ケースが皮膚に接触する面積もより大きくなるため、ゲルマニウムの効果を皮膚のより広い範囲に与えることができる。
【００２３】
［７］本発明の家庭用永久磁石磁気治療器において、前記永久磁石は、ネオジウム−鉄−ホウ素系合金焼結磁石であることが好ましい。
永久磁石として、磁力の強いネオジウム−鉄−ホウ素系合金焼結磁石とすることによって、磁気による効果をより大きくすることができる。
【００２４】
［８］本発明の家庭用永久磁石磁気治療器において、前記接着剤は、エポキシ系樹脂を用いた接着剤であることが好ましい。
接着剤として、エポキシ系樹脂の接着剤を用いることにより、耐熱、耐水、耐薬品性に優れたものとなり、本発明の家庭用永久磁石磁気治療器を装着したままで、スポーツや入浴なども可能となる。
【００２５】
［９］本発明の家庭用永久磁石磁気治療器において、前記第２面の周縁部には、全周に渡って、曲面部が形成されていることが好ましい。
このように、永久磁石収納ケースにおける第２面（貼り付け部材が貼付される側の面）の周縁部には、全周に渡って、曲面部を形成することにより、第２面の周縁部には尖った角部がなくなり、当該家庭用永久磁石磁気治療器を皮膚に貼り付けたときに、貼り付け部材に加わる負担を小さくすることができる。これによって、貼り付け部材が角部によって損傷することを防止でき、貼り付け部材の耐久性を高めることができる。
【図面の簡単な説明】
【００２６】
【図１】実施形態１に係る家庭用永久磁石磁気治療器１０を説明するために示す斜視図である。
【図２】図１（ａ）におけるａ−ａ矢視断面図であり、永久磁石１０１が収納される前の状態を示す図である。
【図３】実施形態１に係る家庭用永久磁石磁気治療器１０の組み立て工程を説明するために示す図である。
【図４】実施形態１に係る家庭用永久磁石磁気治療器１０を皮膚Ｈに貼り付けた状態を示す図である。
【図５】実施形態２に係る家庭用永久磁石磁気治療器２０を説明するために示す図である。
【図６】従来の家庭用永久磁石磁気治療器９００を説明するために示す断面図である。
【発明を実施するための形態】
【００２７】
以下、本発明の実施形態について説明する。
【００２８】
［実施形態１］
図１は、実施形態１に係る家庭用永久磁石磁気治療器１０を説明するために示す斜視図である。図１（ａ）は人体の皮膚に接触させる側の面（第１面２２０という。）を下にし、第１面２２０と反対側の面（第２面２３０という。）を上にした場合を示している。また、図１（ｂ）は第１面２２０を上にし、第２面２３０を下にした場合を示している。
【００２９】
図２は、図１（ａ）におけるａ−ａ矢視断面図であり、永久磁石１０１が収納される前の状態を示す図である。なお、図２は模式図であり、図２に示す各部は必ずしも同一比率による縮尺となっていはいない。
【００３０】
図３は、実施形態１に係る家庭用永久磁石磁気治療器１０の組み立て工程を説明するために示す図である。図４は、実施形態１に係る家庭用永久磁石磁気治療器１０を皮膚Ｈに貼り付けた状態を示す図である。
【００３１】
実施形態１に係る家庭用永久磁石磁気治療器１０は、図１及び図２に示すように、永久磁石１０１と、永久磁石収納ケース２００とを有している。
永久磁石１０１は、例えば、異方性磁石（例えば、ネオジウム−鉄−ホウ素系合金焼結磁石）であり、径ｄ１がほぼ２．０ｍｍ、高さｈ１がほぼ１．５ｍｍの円筒状をなしている。また、永久磁石１０１は、３２００ガウス程度の磁力を有しているものとする。
【００３２】
永久磁石収納ケース２００は、純ゲルマニウム（９９．９９９％ゲルマニウム）が用いられており、その内部には永久磁石１０１を収納するための永久磁石収納部２１１が形成されている。また、永久磁石収納ケース２００の第１面２２０、すなわち、皮膚Ｈ（図４参照。）に接触する側の面は、外方に突出する球面形状をなしている。一方、第１面と反対側の第２面２３０、すなわち、パッチなどの貼り付け部材４００（図４参照。）が貼付される側の面は、永久磁石収納部２１１の開口面２１１ａが設けられ、当該開口面２１１ａから第２面２３０の周縁にかけては全周に渡って曲面部Ｒが形成されている。
【００３３】
永久磁石収納部２１１は、開口面２１１ａと底面２１１ｂとを有する凹形状をなし、開口面２１１ａは上記したように永久磁石収納ケース２００の第２面２３０に位置し、底面２１１ｂは開口面２１１ａから第１面２２０の方向に向かって所定の深さに位置するように永久磁石収納ケース２００に形成されている。
【００３４】
このように形成された永久磁石収納ケース２００は、第１面２２０又は第２面２３０のいずれの側から見た場合においても平面形状が円形をなし、その外径ｄ２はほぼ５．０ｍｍであり、その高さ（第２面２３０から第１面２２０の頂点までの高さ）ｈ２はほぼ２．４ｍｍである。
【００３５】
また、永久磁石収納部２１１は、開口面２１１ａから底面２１１ｂまでの深さｈ３は、永久磁石１０１の高さｈ１よりもわずかに大きく、ほぼ１．７ｍｍの深さを有しており、また、底面２１１ｂから永久磁石１０１の高さｈ１に相当する円筒部分の径ｄ３は、永久磁石１０１の径ｄ１と同じか永久磁石１０１の径ｄ１よりもわずかに大きい程度の径を有している。また、開口面２１１ａの径ｄ４は、円筒部分の径ｄ３よりも大きい径（ほぼ２．７ｍｍ）を有し、開口面２１１ａと径ｄ３を有する円筒部分との間はテーパー面（図２において灰色で示す。）となっている。
【００３６】
永久磁石１０１、永久磁石収納ケース２００及び永久磁石収納部２１１が上記したような寸法を有することによって、永久磁石１０１をその先端面１０１ａが永久磁石収納部２１１の底面２１１ｂに接触するまで永久磁石収納部２１１に挿入すると、永久磁石１０１の後端面１０１ｂが永久磁石収納部２１１の開口面２１１ａよりもわずかに内方に位置し、当該後端面１０１ｂと永久磁石収納ケース２００の第２面２３０との間に段差部２４０が形成される。
【００３７】
また、永久磁石収納部２１１の底面２１１ｂから永久磁石収納ケース２００の第１面２２０の頂点までの距離（以下、「第１面２２０側の厚みｔ」という。）はほぼ０．７ｍｍとしている。第１面２２０側の厚みｔをこのように設定することによって、３０００ガウス程度の磁力を有する永久磁石１０１を永久磁石収納部２１１に収納した場合、永久磁石収納ケース２００の第１面２２０側における表面磁力は、２０００ガウスに近い値とすることができる。
【００３８】
このように構成された家庭用永久磁石磁気治療器１０は、図３に示すような組み立て工程によって製造することができる。すなわち、まずは、永久磁石収納ケース２００と永久磁石１０１とを準備する（図３（ａ）参照。）。なお、図３（ａ）に示すような構成の永久磁石収納ケース２００は、切削、鋳造など種々の方法によって製造することができるが、本発明においては、その製造方法は特に限定されるものではない。
【００３９】
次に、永久磁石収納ケース２００における永久磁石収納部２１１の底面２１１ｂに接着剤３００を適量注入する（図３（ｂ）参照。）。なお、注入する接着剤３００の量は、永久磁石１０１の先端面１０１ａが永久磁石収納部２１１の底面２１１ｂに到達するように挿入した状態としたときに、接着剤３００が押し広げられて、押し広げられた接着剤が永久磁石１０１の先端面１０１ａ及び側面の全面を覆い、さらに、永久磁石１０１の後端面１０１ｂ側にもはみ出てくる程度の量とする。なお、接着剤３００は、耐熱性、耐水性、耐薬品性に優れた接着剤（例えば、エポキシ系樹脂の接着剤）を用いることが好ましい。
【００４０】
図３（ｂ）の状態において、永久磁石１０１をその先端面１０１ａの側を挿入方向の先頭として永久磁石収納部２１１に挿入し、永久磁石１０１の先端面１０１ａが永久磁石収納部２１１の底面２１１ｂに到達すると、接着剤３００が押し広げられて、押し広げられた接着剤が、永久磁石１０１の先端面１０１ａ及び側面の全面を覆い、さらに、永久磁石１０１の後端面１０１ｂ側にもはみ出た状態となる（図３（ｃ）参照。）。なお、接着剤３００は無色透明又は多少色味のついた透明であるが、図３（ｃ）においては接着剤３００の部分を灰色で示している。
【００４１】
そして、永久磁石１０１の後端面１０１ｂ側にはみ出た余分の接着剤（「余分の接着剤３００ａ」とする。）を拭き取る。これによって、家庭用永久磁石磁気治療器１０を製造することができる（図３（ｄ）参照。）。なお、永久磁石１０１の後端面１０１ｂの側にはみ出た余分の接着剤３００ａを拭き取る際には、永久磁石１０１の後端面１０１ｂと永久磁石収納部２１１の第２面２３０との間に形成される段差部２４０が接着剤によって充填された状態となるように接着剤を拭き取る。このとき、段差部２４０に充填された接着剤の表面が第２面２３０の表面と同一平面となるようにすることが好ましい。
【００４２】
このように、実施形態１に係る家庭用永久磁石磁気治療器１０は、永久磁石収納ケース２００の永久磁石収納部２１１に接着剤３００を注入して、当該永久磁石収納部２１１に永久磁石１０１を挿入した後に、余分な接着剤３００ａを拭き取るだけで家庭用永久磁石磁気治療器を製造することができる。このため、組み立て工数が少なく、かつ、組み立てが容易であるため、高い生産性で家庭用永久磁石磁気治療器１０を製造することができる。
【００４３】
図３（ａ）〜（ｄ）に示すような工程によって製造された家庭用永久磁石磁気治療器１０は、図４に示すように使用する。家庭用永久磁石磁気治療器１０は、図４に示すように、永久磁石収納ケース２００の第１面２２０を皮膚Ｈに接触させた状態で、パッチなどの貼り付け部材４００により永久磁石収納ケース２００の第２面２３０側を覆うようにして皮膚Ｈに貼り付ける。
【００４４】
なお、貼り付け部材４００は当該家庭用永久磁石磁気治療器１０の付属品として用意されているものを用いてもよいことは勿論、市販の絆創膏などを用いてもよい。
【００４５】
このようにして家庭用永久磁石磁気治療器１０を皮膚Ｈに貼り付けることにより、純ゲルマニウムで形成された永久磁石収納ケース２００が皮膚Ｈに直接接触することとなり、ゲルマニウムの効果が期待できるとともに、永久磁石収納部２１１に収納されている永久磁石１０１から発生する磁気による効果が期待できる。なお、実施形態１に係る家庭用永久磁石磁気治療器１０においては、永久磁石の磁力は皮膚Ｈ上において２０００ガウスに近いものとなり、家庭用永久磁石磁気治療器１０として大きい効果が期待できる。また、実施形態１に係る家庭用永久磁石磁気治療器１０は、皮膚Ｈに接触する側の面が球面形状となっているため、適度な刺激を皮膚に与えることができるため、ツボ効果も期待できる。
【００４６】
また、実施形態１に係る家庭用永久磁石磁気治療器１０においては、永久磁石１０１は、接着剤３００によって永久磁石収納部２１１に固定される構造となっているため、永久磁石収納部２１１内で動くことがなく耐久性にも優れたものとなる。また、実施形態１に係る家庭用永久磁石磁気治療器１０においては、接着剤３００として、耐熱性、耐水性、耐薬品性に優れたエポキシ系樹脂の接着剤を用いているため、家庭用永久磁石磁気治療器１０を装着したままで、スポーツをしたり入浴をしたりすることも可能となる。
【００４７】
また、永久磁石収納ケース２００における第２面２３０の周縁部には、全周に渡って、曲面部Ｒが形成されているため、貼り付け部材４００は、永久磁石収納ケース２００の第２面２３０の曲面部Ｒに沿って、なだらかな曲線を描くようになる。これにより、貼り付け部材４００を貼り付けた状態としたときに、貼り付け部材４００に角部が接触することがないため、貼り付け部材４００に加わる負担をより小さくすることができ、貼り付け部材４００の耐久性をより高めることができる。また、貼り付け部材４００による貼り付け状態をより確実なものとすることができ、長時間の使用にも耐え得るものとなる。
【００４８】
［実施形態２］
実施形態１に係る家庭用永久磁石磁気治療器１０においては、永久磁石収納ケース２００に１つの永久磁石１０１を収納した場合を例示したが、複数の永久磁石を収納することも可能である。
【００４９】
図５は、実施形態２に係る家庭用永久磁石磁気治療器２０を説明するために示す図である。なお、図５は実施形態２に係る家庭用永久磁石磁気治療器２０における永久磁石の配置を説明するために示す図であり、図５（ａ）は家庭用永久磁石磁気治療器２０を第２面２３０の側から見た場合の平面図、図５（ｂ）は図５（ａ）におけるａ−ａ矢視断面図である。なお、永久磁石収納ケース２００の材質などは実施形態１に係る家庭用永久磁石磁気治療器１０と同様、純ゲルマニウムを用いるものとする。
【００５０】
実施形態２に係る家庭用永久磁石磁気治療器２０は、図５に示すように、永久磁石収納ケース２００に３個の永久磁石収納部２１１，２１２，２１３が設けられており、これら永久磁石収納部２１１，２１２，２１３にそれぞれ永久磁石１０１，１０２，１０３を収納した構成となっている。
【００５１】
実施形態２に係る家庭用永久磁石磁気治療器２０においては、永久磁石１０１，１０２，１０３は実施形態１に係る家庭用永久磁石磁気治療器１０において用いた永久磁石１０１と同じ寸法のものであるとする。このため、実施形態２に係る家庭用永久磁石磁気治療器２０における永久磁石収納ケース２００は、３個の永久磁石収納部２１１，２１２，２１３を図５に示すように配置できるように、外径ｄ２は実施形態１に係る家庭用永久磁石磁気治療器１０における永久磁石収納ケース２００よりも大きなものとする。
なお、このときの永久磁石収納ケース２００の高さｈ２は、開口面２１１ａから底面２１１ｂまでの深さｈ３と、収納する永久磁石１０１の高さと、永久磁石１０１の磁力の大きさとを考慮して、第１面２２０側における磁力が２０００ガウスに近い値となるように調整する。
【００５２】
なお、実施形態２に係る家庭用永久磁石磁気治療器２０を製造する際の組み立て工程は、実施形態１に係る家庭用永久磁石磁気治療器１０の組み立て工程（図３参照。）と同様に実施可能である。ただし、実施形態２に係る家庭用永久磁石磁気治療器２０においては、３個の永久磁石収納部２１１，２１２，２１３を有しているので、個々の永久磁石収納部２１１，２１２，２１３において図３（ａ）〜（ｄ）に示すような工程を行う。
【００５３】
実施形態２に係る家庭用永久磁石磁気治療器２０によれば、３個の永久磁石１０１，１０２，１０３を有しているため、皮膚Ｈのより広い範囲に磁気を与えることができる。また、永久磁石収納ケース２００の外径ｄ２が実施形態１に係る家庭用永久磁石磁気治療器１０における永久磁石収納ケース２００よりも大きくなることから、永久磁石収納ケース２００の平面的な面積もより大きくなる。このため、永久磁石収納ケース２００が皮膚Ｈに接触する面積がより広くなり、ゲルマニウムの効果をより広い範囲に与えることができる。
【００５４】
なお、図５においては、永久磁石収納ケース２００の平面形状が実施形態１に係る家庭用永久磁石磁気治療器１０と同様に円形としたために、３個の永久磁石１０１，１０２，１０３が仮想的な３角形の頂点にそれぞれ位置するような配置としたが、永久磁石収納ケース２００の平面形状を例えば長円形とすることにより、３個の永久磁石１０１，１０２，１０３を直線上に３つ並べた配置とすることも可能である。また、実施形態２に係る家庭用永久磁石磁気治療器２０においては、永久磁石は３個とした場合を例示したが、永久磁石の数は、３個に限られるものではなく、例えば、２個であってもよく、また、４個以上であってもよい。
【００５５】
また、永久磁石１０１，１０２，１０３は実施形態１に係る家庭用永久磁石磁気治療器１０において用いた永久磁石１０１と同じ寸法のものを用いた場合を例示したが、これに限られるものではなく、より小型なものを用いてもよい。
【００５６】
なお、本発明は上記各実施形態に限られるものではなく、本発明の要旨を逸脱しない範囲で種々変形実施可能となるものである。たとえば、下記に示すような変形実施も可能である。
【００５７】
（１）上記各実施形態においては、永久磁石１０１としてはネオジウム系磁石（ネオジウム−鉄−ホウ素系合金焼結磁石）を用いた場合を例示したが、これに限られるものではなく、例えば、サマコバ系磁石（サマリウム−コバルト磁石）磁石などを用いてもよい。
【００５８】
（２）上記各実施形態においては、永久磁石１０１の表面処理については言及しなかったが、永久磁石１０１の表面には、ニッケル、金、白金、パラジウム又はこれらの合金によるメッキを施すようにしてもよい。
【００５９】
（３）上記各実施形態においては、永久磁石収納ケース２００としては、純ゲルマニウム（９９．９９９％ゲルマニウム）で形成されているものとしたが、純ゲルマニウムでなくてもよく、ゲルマニウムの効果が損なわれない程度に他の物質を多少含有させてもよい。
【００６０】
（３）実施形態１に係る家庭用永久磁石磁気治療器１０において示した各部の寸法を示す数値は一例であって、このような数値に限定されるものではなく、皮膚Ｈに接触する側の面（第１面２２０）における表面磁力が２０００ガウスを超えない範囲で、適宜、最適な数値を設定することができる。
【００６１】
（４）上記各実施形態においては、３２００ガウスに永久磁石を用いた場合を例示したが、永久磁石は３２００ガウスのものに限られるものではなく、皮膚Ｈに接触する側の面（第１面２２０）における表面磁力が２０００ガウスを超えない範囲となるように永久磁石収納ケース２００における各部の寸法を設定すれば、それぞれにおいて最適な磁力を有する永久磁石収納を用いることができる。
【符号の説明】
【００６２】
１０，２０・・・家庭用永久磁石磁気治療器、１０１，１０２，１０３・・・永久磁石、１０１ａ・・・先端面、１０１ｂ・・・後端面、２００・・・永久磁石収納ケース、２１１，２１２，２１３・・・永久磁石収納部、２１１ａ・・・開口面、２１１ｂ・・・底面、２２０・・・第１面、２３０・・・第２面、２４０・・・段差部、３００・・・接着剤、３００ａ・・・余分な接着剤、Ｈ・・・皮膚、Ｒ・・・曲面部
【図２】
2013022123.tif 000003
【図３】
2013022123.tif 000004
【図４】
2013022123.tif 000005
【図５】
2013022123.tif 000006
【図６】
2013022123.tif 000007
【図１】
2013022123.tif 000008